(57)【要約】【課題】取付部材を用いた物品のパネルへの取付構造において、取付部材のパネルへの固定力を損なうことなく該取付部材のパネルからの取り外し性を高めることができ、取付部材の再利用を可能とする取付構造を提供する。【解決手段】取付構造１０は、互いに間隔をあけて設けられた大穴７２及び大穴７２よりも幅が小さい小穴７１と、大穴７２と小穴７１とを連結させた連結穴７３とが設けられたパネル６に、取付部材１を用いて電線束５を取り付ける取付構造である。取付部材１は、電線束５に取り付けられる物品取付部９と小穴７１に圧入係止される圧入部８とを有するクリップ２と、大穴７２の縁部の一部に係止される係止部品４と、圧入部８と係止部品４とを連結するとともに圧入部８と係止部品４とを互いに離れる方向に付勢するバネ３と、で構成されている。【選択図】図１
2009219261.tif 000002
【特許請求の範囲】
【請求項１】
互いに間隔をあけて設けられた大穴、及び該大穴よりも幅が小さい小穴と、これら大穴と小穴とを連結させた連結穴と、が設けられたパネルに、取付部材を用いて物品を取り付ける取付構造であって、
（イ）前記取付部材が、前記物品に取り付けられる物品取付部と前記小穴に圧入係止される圧入部とを有するクリップと、前記大穴の縁部の一部に係止される係止部品と、前記圧入部と前記係止部品とを連結するとともにこれら圧入部と係止部品とを互いに離れる方向に付勢するバネと、で構成され、
（ロ）前記圧入部が、前記パネルの手前側に位置付けられる手前側部と、前記小穴に圧入されて前記パネルの奥側に位置付けられ、前記手前側部との間に前記パネルを挟持する奥側部と、これら手前側部と奥側部とを連結する連結部と、で構成され、
（ハ）前記大穴が前記奥側部及び前記係止部品よりも大きい幅に設けられ、前記連結穴が前記手前側部及び前記奥側部よりも小さい幅でかつ、前記連結部よりも大きい幅に設けられ、そして、
（ニ）前記小穴に圧入係止された前記圧入部が、前記連通穴を通されて前記大穴にスライドされることにより前記パネルから取り外され、そして、前記大穴の縁部の一部に係止された前記係止部品が、前記圧入部が前記パネルから取り外されて前記バネによる付勢が解除されることにより前記大穴の縁部から取り外し可能になることを特徴とする取付構造。
【請求項２】
前記係止部品が、前記大穴の縁部の一部を挟む挟持部と、該挟持部よりも前記パネルの奥側に位置付けられ、前記バネの一方の端部が取り付けられるバネ取付部と、で構成され、そして、
前記小穴に圧入係止された前記圧入部が前記大穴にスライドされることにより、前記バネ取付部が前記小穴から離れる側に押圧されて、前記挟持部が前記縁部から取り外されることを特徴とする請求項１に記載の取付構造。
【発明の詳細な説明】
【技術分野】
【０００１】
本発明は、電線などの物品を車体などのパネルに取り付けるための取付構造に関するものである。
【背景技術】
【０００２】
種々の電子機器が搭載される自動車は、これらの電子機器に電力や制御信号を伝送するためにワイヤハーネスを配索している。このワイヤハーネスは、複数の電線が束ねられた電線束（物品）と、これら電線束の端末などに取り付けられたコネクタとを有している。このようなワイヤハーネスの電線束を前記自動車のパネルに固定する際には、前記電線束に巻き付けられるバンド部と、前記パネルに設けられた穴に圧入係止される圧入部とを有するクリップが用いられることが一般的であった（特許文献１，２を参照。）。
【０００３】
また、上述した自動車の廃車時や修理時などに前記電線束を前記パネルから取り外す際には、殆どの場合、前記パネルの奥側に作業員の手などを入れることができないことから、ニッパー等の工具を用いて前記クリップのバンド部を圧入部から切り離したり、電線束を強引に引っ張って前記クリップの圧入部を前記穴から引き抜くようにして取り外していた。
【０００４】
しかしながら、このようにクリップの圧入部とバンド部とを切り離してしまうと、このクリップを再利用することができなくなるという問題があった。また、電線束を強引に引っ張って取り外す方法においては、非常に大きな力が必要であることから、作業員の負担が大きくなるという問題があるとともに、クリップを穴から引き抜く際に圧入部が破損されてしまうことがあり、クリップを再利用することができなくなることがあるという問題があった。
【０００５】
この問題に対して、特許文献２では、クリップの再利用を可能とする物品のパネルへの取付構造を提案している。この取付構造は、図１７に示すように、パネル１２０に、互いに間隔をあけて大穴１２３及び小穴１２１が設けられ、大穴１２３と小穴１２１とを連結させた連結穴１２５が設けられている。そして、小穴１２１に圧入係止されるクリップ１０１が設けられている。このクリップ１０１は、電線束（物品）に取り付けられる図示しない物品取付部と、小穴１２１に圧入係止される頭部１０５と、頭部１０５との間にパネル１２０を挟持するバネ部１０７と、頭部１０５とバネ部１０７とを連結する首部１０６と、を有している。
【０００６】
このクリップ１０１をパネル１２０に取り付ける際には、頭部１０５をパネル１２０の手前側から小穴１２１内に圧入係止させて取り付ける。この小穴１２１に圧入係止された頭部１０５は、連結穴１２５よりも大きい幅に形成されているので、大穴１２３側にスライドすることが防止される。
【０００７】
また、このクリップ１０１をパネル１２０から取り外す際には、バネ部１０７をパネル１２０に押し付けて該バネ部１０７を弾性変形させ、首部１０６を小穴１２１内に位置付けた状態で頭部１０５を大穴１２３側にスライドさせる。この際、首部１０６は連結穴１２５よりも小さい幅に形成されているので、連結穴１２５を通されて大穴１２３までスライドされる。そして、大穴１２３よりも小さい幅に形成された頭部１０５は、大穴１２３内に位置付けられることによりパネル１２０から取り外される。
【特許文献１】特開２００２−２３３０３８号公報
【特許文献２】特開２０００−１１５９６４号公報
【発明の開示】
【発明が解決しようとする課題】
【０００８】
しかしながら、図１７に示された従来の取付構造は、クリップ１０１を小さい力でパネル１２０から取り外すことができる反面、クリップ１０１のパネル１２０への固定力が低下してしまうという短所を有している。即ち、クリップ１０１が小穴１２１に圧入係止された状態で、該クリップ１０１に、バネ部１０７をパネル１２０に押し付ける方向の外力が加えられ、さらに小穴１２１から大穴１２３に向かう方向の外力が加えられた場合、このクリップ１０１が意図せずパネル１２０から外れてしまう恐れがあった。
【０００９】
このように、クリップを用いた物品のパネルへの取付構造において、クリップのパネルへの固定力と、クリップのパネルからの取り外し性との双方を高くすることは容易ではなかった。
【００１０】
したがって、本発明は、取付部材を用いた物品のパネルへの取付構造において、前記取付部材のパネルへの固定力を損なうことなく該取付部材のパネルからの取り外し性を高めることができ、該取付部材の再利用を可能とする取付構造を提供することを目的とする。
【課題を解決するための手段】
【００１１】
上記目的を達成するために、請求項１に記載された発明は、互いに間隔をあけて設けられた大穴、及び該大穴よりも幅が小さい小穴と、これら大穴と小穴とを連結させた連結穴と、が設けられたパネルに、取付部材を用いて物品を取り付ける取付構造であって、（イ）前記取付部材が、前記物品に取り付けられる物品取付部と前記小穴に圧入係止される圧入部とを有するクリップと、前記大穴の縁部の一部に係止される係止部品と、前記圧入部と前記係止部品とを連結するとともにこれら圧入部と係止部品とを互いに離れる方向に付勢するバネと、で構成され、（ロ）前記圧入部が、前記パネルの手前側に位置付けられる手前側部と、前記小穴に圧入されて前記パネルの奥側に位置付けられ、前記手前側部との間に前記パネルを挟持する奥側部と、これら手前側部と奥側部とを連結する連結部と、で構成され、（ハ）前記大穴が前記奥側部及び前記係止部品よりも大きい幅に設けられ、前記連結穴が前記手前側部及び前記奥側部よりも小さい幅でかつ、前記連結部よりも大きい幅に設けられ、そして、（ニ）前記小穴に圧入係止された前記圧入部が、前記連通穴を通されて前記大穴にスライドされることにより前記パネルから取り外され、そして、前記大穴の縁部の一部に係止された前記係止部品が、前記圧入部が前記パネルから取り外されて前記バネによる付勢が解除されることにより前記大穴の縁部から取り外し可能になることを特徴とする取付構造である。
【００１２】
請求項２に記載された発明は、請求項１に記載された発明において、前記係止部品が、前記大穴の縁部の一部を挟む挟持部と、該挟持部よりも前記パネルの奥側に位置付けられ、前記バネの一方の端部が取り付けられるバネ取付部と、で構成され、そして、前記小穴に圧入係止された前記圧入部が前記大穴にスライドされることにより、前記バネ取付部が前記小穴から離れる側に押圧されて、前記挟持部が前記縁部から取り外されることを特徴とするものである。
【発明の効果】
【００１３】
請求項１に記載された発明によれば、取付部材が、物品に取り付けられる物品取付部と小穴に圧入係止される圧入部とを有するクリップと、大穴の縁部の一部に係止される係止部品と、前記圧入部と前記係止部品とを連結するとともにこれら圧入部と係止部品とを互いに離れる方向に付勢するバネと、で構成されていることから、取付部材のパネルへの固定力を損なうことなく該取付部材のパネルからの取り外し性を高めることができ、該取付部材の再利用を可能とする取付構造を提供することができる。
【００１４】
請求項２に記載された発明によれば、小穴に圧入係止された圧入部が大穴にスライドされることにより挟持部が大穴の縁部から取り外されることから、取付部材のパネルからの取り外し性をさらに高めることができる。
【発明を実施するための最良の形態】
【００１５】
以下、本発明の一実施の形態に係る「物品のパネルへの取付構造」を、図１ないし図１６を用いて説明する。本発明の「物品のパネルへの取付構造」（以下、「取付構造」と略す。）は、取付部材を用いて電線束等の物品を、自動車の車体などを構成するパネルに取り付ける取付構造である。
【００１６】
上記取付構造１０は、図１に示すように、上記パネル６に設けられた穴７と、この穴７に取り付けられる取付部材１と、で構成されている。また、このパネル６は、自動車の車体を構成するパネル６である。
【００１７】
上記穴７は、互いに間隔をあけて設けられた大穴７２、及び該大穴７２よりも幅が小さい小穴７１と、これら大穴７２と小穴７１とを連結させた連結穴７３と、で構成されている。前記大穴７２は、平面形状が四角形に設けられている。前記小穴７１は、平面形状が円形に設けられている。前記連結穴７３は、図１中に示す矢印N方向に沿って直線状に設けられている。また、前記連結穴７３の幅は、小穴７１よりも小さく形成されている。また、大穴７２と連結穴７３と小穴７１とは、矢印N方向に沿って並んでいる。また、本発明において、「大穴７２の幅」、「小穴７１の幅」、「連結穴７３の幅」とは、これら、大穴７２、小穴７１、連結穴７３それぞれの、図１中に示す矢印M方向に沿った幅を意味する。また、矢印Mは、矢印Nと直交する方向に延びている。
【００１８】
上記取付部材１は、上記物品としての電線束５に取り付けられる物品取付部９と小穴７１に圧入係止される圧入部８とを有する合成樹脂製のクリップ２と、大穴７２の縁部の一部に係止される合成樹脂製の係止部品４と、圧入部８と係止部品４とを連結するとともにこれら圧入部８と係止部品４とを互いに離れる方向に付勢する金属性のバネ３と、で構成されている。
【００１９】
上記電線束５は、前記自動車に配索されるワイヤハーネスを構成する複数の電線が束ねられたものである。
【００２０】
上記物品取付部９は、上記電線束５を結束することが可能なバンド状に設けられている。
【００２１】
上記圧入部８は、パネル６の手前側に位置付けられる手前側部２３と、小穴７１に圧入されてパネル６の奥側に位置付けられ、手前側部２３との間にパネル６を挟持する一対の可撓片２２からなる奥側部と、これら手前側部２３と一対の可撓片２２とを連結する連結部２１と、で構成されている。また、前記「パネル６の手前側」とは、図１ないし図１６におけるパネル６の上方を意味する。また、前記「パネル６の奥側」とは、図１ないし図１６におけるパネル６の下方を意味する。
【００２２】
上記手前側部２３は、中心部分が窪んだ円形の皿状に設けられており、その外縁部がパネル６の手前側の表面に弾性的に接触する（図３を参照。）。また、この手前側部２３の矢印M方向に沿った幅は、小穴７１の幅よりも大きく形成されているとともに、大穴７２の幅よりも小さく形成されている。また、本発明において、「手前側部２３の幅」とは、手前側部２３の矢印M方向に沿った幅を意味する。
【００２３】
上記一対の可撓片２２は、連結部２１の手前側部２３から離れた先端部から板状に延びて設けられている。また、これら一対の可撓片２２は、連結部２１の先端部から離れるにしたがって互いに離れる方向に延びているとともに、連結部２１の先端部から離れるにしたがって手前側部２３に近付く方向に延びている。このような一対の可撓片２２は、小穴７１に圧入される際に弾性変形されて収縮され、小穴７１の奥側に突き出る際に元の形状に弾性復元されて、当該可撓片２２の連結部２１の先端部から離れた部分がパネル６の奥側の表面に弾性的に接触する（図３を参照。）。また、このような一対の可撓片２２からなる奥側部の矢印M方向に沿った幅、即ち、一方の可撓片２２の連結部２１の先端部から離れた部分から他方の可撓片２２の連結部２１の先端部から離れた部分までの幅、は、小穴７１の幅よりも大きく形成されているとともに、大穴７２の幅よりも小さく形成されている。また、本発明において、「奥側部の幅」とは、奥側部の矢印M方向に沿った幅を意味する。 
【００２４】
上記連結部２１は、角柱状に設けられている。また、この連結部２１の矢印M方向に沿った幅は、連結穴７３の幅よりも小さく形成されている。また、本発明において、「連結部２１の幅」とは、連結部２１の矢印M方向に沿った幅を意味する。
【００２５】
また、上述した一対の可撓片２２と連結部２１とは、全体として平面形状が矢印型に形成されている（図１を参照。）。
【００２６】
上記係止部品４は、大穴７２の縁部の一部、即ち、大穴７２を構成する縁部のうち、矢印Mと平行な縁部でかつ連結穴７３から離れた縁部、を挟む挟持部４０と、挟持部４０よりもパネル６の奥側に位置付けられ、バネ３の一方の端部が取り付けられるバネ取付部４４と、で構成されている。
【００２７】
上記挟持部４０は、互いに間隔をあけて平行に配された板状の第１板部４１及び板状の第２板部４２と、これら第１板部４１と第２板部４２の端部同士を連結した連結板部４３と、により平面形状がコ字型に設けられている。また、この挟持部４０は、第１板部４１がパネル６の手前側の表面に位置付けられ、第２板部４２がパネル６の奥側の表面に位置付けられ、連結板部４３が大穴７２の内面に当接する格好で前記大穴７２の縁部の一部を挟む。
【００２８】
上記バネ取付部４４は、第２板部４２に連なり、第１板部４１から離れる方向に板状に延びて設けられている。また、バネ取付部４４の表面は、連結板部４３の表面と面一に設けられている。
【００２９】
また、このような係止部品４の矢印M方向に沿った幅は、大穴７２の幅よりも若干小さく形成されている。即ちほぼ等しく形成されている。また、本発明において、「係止部品４の幅」とは、係止部品４の矢印M方向に沿った幅を意味する。
【００３０】
上記バネ３は、針金が螺旋状に曲げられたコイルバネであり、その両端が係止部品４のバネ取付部４４と圧入部８の連結部２１とに取り付けられている。また、バネ３の矢印M方向に沿った幅は、連結穴７３の幅よりも小さく形成されている。また、本発明において、「バネ３の幅」とは、バネ３の矢印M方向に沿った幅を意味する。また、本実施形態では、バネ３は、インサート成型によってバネ取付部４４と連結部２１とに取り付けられている。
【００３１】
また、本発明においては、バネ３は、インサート成型以外に、接着剤によってバネ取付部４４と連結部２１とに取り付けられていても良い。また、バネ３は、バネ取付部４４と連結部２１とにバネ取付用の部品が設けられることでこれらバネ取付部４４と連結部２１とに組み付けられていても良い。また、本実施形態のバネ３は金属材料で構成されているが、本発明においては、バネ３は、これ以外に例えば合成樹脂で構成されていても良い。即ち、バネ３は、十分な強度と伸縮性を有しているならば、如何なる材料で構成されていても良い。
【００３２】
このような構成の取付部材１は、圧入部８と係止部品４とが穴７に取り付けられていない状態（図１及び図２を参照。）において、矢印N方向に沿った全長が穴７の矢印N方向に沿った全長よりも大きく形成されている。このことにより、圧入部８と係止部品４とが穴７に取り付けられた状態（図５を参照。）において、バネ３が縮んだ状態となり、このバネ３が圧入部８と係止部品４とを互いに離れる方向に付勢する。このことにより、意図しない外力が取付部材１に加えられた場合でも、圧入部８が小穴７１から大穴７２側に移動することが防止されるとともに、係止部品４が大穴７２の縁部から外れることが防止される。
【００３３】
このように本発明では、取付部材１がクリップ２と係止部品４とバネ３とによって構成されていることから、取付部材１のパネル６への固定力を損なうことなく該取付部材１のパネル６からの取り外し性を高めることができる。
【００３４】
続いて、上述した取付部材１のパネル６への取付方法の一例を、図２ないし図５を用いて説明する。図２は、図１に示された取付構造を構成する取付部材の、パネルに設けられた穴への取付方法を説明する説明図であり、前記取付部材が穴に取り付けられる以前の状態を示す説明図である。図３は、図２に示された状態の取付部材のクリップが、前記穴を構成する小穴に圧入係止された状態を示す説明図である。図４は、図３に示された状態の取付部材の係止部品が、前記穴を構成する大穴内に位置付けられた状態を示す説明図である。図５は、図４に示された状態の係止部品が大穴の縁部の一部に係止された状態を示す説明図である。また、これら図２ないし図５に示された符号６は、図１中のA-A線に沿ったパネル６の断面を示している。
【００３５】
まず、図２に示すように、物品取付部９が電線束５に取り付けられた状態の取付部材１をパネル６の穴７の手前側に位置付ける。そして、図２中の一点鎖線H１に示すように、一対の可撓片２２と連結部２１とを小穴７１に圧入係止させる。
【００３６】
そして、係止部品４を図３中の一点鎖線H２に示すように大穴７２内に位置付ける。そして、係止部品４を図４中の一点鎖線H３に示すように大穴７２の小穴７１から離れた縁部に近付けて、図５に示すように挟持部４０を前記縁部に係止させる。こうして図５に示すように取付部材１がパネル６に取り付けられる。即ち、電線束５が取付部材１によってパネル６に取り付けられる。また、図５に示す状態において、バネ３は縮んだ状態であり、矢印Fで示す付勢力を生じている。即ち、バネ３は、圧入部８と係止部品４とを互いに離れる方向に付勢している。
【００３７】
続いて、上述した取付部材１のパネル６への取付方法の他の例を、図６ないし図９を用いて説明する。図６は、図１に示された取付構造を構成する取付部材の、パネルに設けられた穴への他の取付方法を説明する説明図であり、前記取付部材が穴に取り付けられる以前の状態を示す説明図である。図７は、図６に示された状態の取付部材の係止部品が、前記穴を構成する大穴内に位置付けられた状態を示す説明図である。図８は、図７に示された状態の係止部品が大穴の縁部の一部に係止された状態を示す説明図である。図９は、図８に示された状態の取付部材のクリップが、前記穴を構成する小穴に圧入係止された状態を示す説明図である。また、これら図６ないし図９に示された符号６は、図１中のA-A線に沿ったパネル６の断面を示している。
【００３８】
まず、図６に示すように、物品取付部９が電線束５に取り付けられた状態の取付部材１をパネル６の穴７の手前側に位置付ける。そして、図６中の一点鎖線H４に示すように係止部品４を大穴７２内に位置付ける。そして、係止部品４を図７中の一点鎖線H５に示すように大穴７２の小穴７１から離れた縁部に近付けて、図８に示すように挟持部４０を前記縁部に係止させる。
【００３９】
そして、図８中の一点鎖線H６に示すように、一対の可撓片２２と連結部２１とを小穴７１に圧入係止させる。こうして図９に示すように取付部材１がパネル６に取り付けられる。即ち、電線束５が取付部材１によってパネル６に取り付けられる。また、図９に示す状態において、バネ３は縮んだ状態であり、矢印Fで示す付勢力を生じている。即ち、バネ３は、圧入部８と係止部品４とを互いに離れる方向に付勢している。
【００４０】
続いて、パネル６に取り付けられた取付部材１のパネル６からの取り外し方法の一例を、図１０ないし図１６を用いて説明する。図１０は、図５及び図９に示された状態の取付部材の穴からの取り外し方法を説明する説明図であり、小穴に圧入係止されたクリップが大穴側にスライドされた状態を示す説明図である。図１１は、図１０に示された状態のクリップがさらに大穴側にスライドされた状態を示す説明図である。図１２は、図１１に示された状態のクリップがさらに大穴側にスライドされて係止部品が大穴の縁部から取り外された状態を示す説明図である。図１３は、図１２に示された状態のクリップがさらに大穴側にスライドされた状態を示す説明図である。図１４は、図１３に示された状態のクリップが大穴内に位置付けられた状態を示す説明図である。図１５は、図１４に示された状態のクリップがパネルから取り外された状態を示す説明図である。図１６は、図１５に示された状態の係止部品がパネルから取り外された状態を示す説明図である。また、これら図１０ないし図１６に示された符号６は、図１中のA-A線に沿ったパネル６の断面を示している。
【００４１】
まず、図５及び図９に示された状態の取付部材１の圧入部８を、図１０中の一点鎖線H７に示すように大穴７２側に押圧してスライドさせる。この際、圧入部８は連結部２１が連結穴７３を通されることにより大穴７２側にスライドされる。
【００４２】
そして、圧入部８を、図１１中の一点鎖線H８に示すようにさらに大穴７２側に押圧してスライドさせる。すると、図１１に示すように、バネ取付部４４がバネ３によって小穴７１から離れる側に押圧されて撓む。
【００４３】
そして、圧入部８を、図１２中の一点鎖線H９に示すようにさらに大穴７２側に押圧してスライドさせると、挟持部４０が大穴７２の縁部から取り外される。
【００４４】
そして、圧入部８を、図１３中の一点鎖線H１０及び図１４中の一点鎖線H１１に示すように大穴７２側にスライドさせて、大穴７２内に位置付ける。そして、この圧入部８を、図１４中の一点鎖線H１２に示すようにパネル６の手前側に引き上げる。このことにより、図１５に示すように、圧入部８がパネル６から取り外される。
【００４５】
そして、圧入部８を、図１５中の一点鎖線H１３に示すようにさらにパネル６の手前側に引き上げることにより、バネ３を介して圧入部８に連なった係止部品４が大穴７２を通されてパネル６の手前側に引き上げられ、パネル６から取り外される。こうして、図１６に示すように取付部材１がパネル６から取り外される。即ち、電線束５がパネル６から取り外される。
【００４６】
このように本発明では、パネル６に、圧入部８が圧入係止される小穴７１と、圧入部８よりも幅の大きい大穴７２と、小穴７１と大穴７２とを連結した連結穴７３と、を設けたことから、小穴７１に圧入係止された圧入部８を大穴７２にスライドさせることで該圧入部８をパネル６から取り外すことができるので、大きな力を使うことなく、簡単な操作で取付部材１をパネル６から取り外すことができる。また、前記「大きな力」とは、例えば電線束５をパネル６の手前側に強引に引っ張って圧入部８を小穴７１から引き抜く場合に必要となる力を意味している。また、このような取付構造１０においては、取付部材１を破損させることなくパネル６から取り外すことができるので、取付部材１の再利用が可能になる。さらに、上述したように、圧入部８は、バネ３と係止部品４とによって小穴７１から移動することが防止されているので、取付部材１の取り外し作業時以外に意図しない外力が取付部材１に加えられた場合でも、この圧入部８がパネル６から脱落することが防止される。したがって、電線束５を確実にパネル６に取り付けることができる。
【００４７】
さらに、本発明では、バネ３の一方の端部が取り付けられるバネ取付部４４を挟持部４０よりもパネル６の奥側に配置したことから、小穴７１に圧入係止された圧入部８を大穴７２にスライドさせることにより挟持部４０を大穴７２の縁部から取り外すことができるので、取付部材１のパネル６からの取り外し性をさらに高めることができる。
【００４８】
また、上述した実施形態では、取付部材１が、小穴７１に圧入係止された圧入部８が大穴７２にスライドされることにより挟持部４０が大穴７２の縁部から取り外される構成であったが、本発明では挟持部４０を手で取り外すことも可能である。
【００４９】
また、上述した実施形態では、物品としての電線束５を取付部材１を用いてパネル６に取り付ける例を説明したが、本発明では、物品が電線束５以外のものであっても良い。
【００５０】
なお、前述した実施形態は本発明の代表的な形態を示したに過ぎず、本発明は、実施形態に限定されるものではない。即ち、本発明の骨子を逸脱しない範囲で種々変形して実施することができる。
【図面の簡単な説明】
【００５１】
【図１】本発明の一実施の形態にかかる物品のパネルへの取付構造を示す斜視図である。
【図２】図１に示された取付構造を構成する取付部材の、パネルに設けられた穴への取付方法を説明する説明図であり、前記取付部材が穴に取り付けられる以前の状態を示す説明図である。
【図３】図２に示された状態の取付部材のクリップが、前記穴を構成する小穴に圧入係止された状態を示す説明図である。
【図４】図３に示された状態の取付部材の係止部品が、前記穴を構成する大穴内に位置付けられた状態を示す説明図である。
【図５】図４に示された状態の係止部品が大穴の縁部の一部に係止された状態を示す説明図である。
【図６】図１に示された取付構造を構成する取付部材の、パネルに設けられた穴への他の取付方法を説明する説明図であり、前記取付部材が穴に取り付けられる以前の状態を示す説明図である。
【図７】図６に示された状態の取付部材の係止部品が、前記穴を構成する大穴内に位置付けられた状態を示す説明図である。
【図８】図７に示された状態の係止部品が大穴の縁部の一部に係止された状態を示す説明図である。
【図９】図８に示された状態の取付部材のクリップが、前記穴を構成する小穴に圧入係止された状態を示す説明図である。
【図１０】図５及び図９に示された状態の取付部材の穴からの取り外し方法を説明する説明図であり、小穴に圧入係止されたクリップが大穴側にスライドされた状態を示す説明図である。
【図１１】図１０に示された状態のクリップがさらに大穴側にスライドされた状態を示す説明図である。
【図１２】図１１に示された状態のクリップがさらに大穴側にスライドされて係止部品が大穴の縁部から取り外された状態を示す説明図である。
【図１３】図１２に示された状態のクリップがさらに大穴側にスライドされた状態を示す説明図である。
【図１４】図１３に示された状態のクリップが大穴内に位置付けられた状態を示す説明図である。
【図１５】図１４に示された状態のクリップがパネルから取り外された状態を示す説明図である。
【図１６】図１５に示された状態の係止部品がパネルから取り外された状態を示す説明図である。
【図１７】従来の物品のパネルへの取付構造を示す説明図であり、（ａ）はパネルに設けられた穴の平面図であり、（ｂ）は（ａ）に示された穴を構成する小穴にクリップが圧入係止された状態を示す断面図である。
【符号の説明】
【００５２】
１  取付部材
２  クリップ
３  バネ
４  係止部品
５  電線束（物品）
６  パネル
８  圧入部
９  物品取付部
１０  取付構造
２１  連結部
２２  可撓片（奥側部）
２３  手前側部
４０  挟持部
４４  バネ取付部
７１  小穴
７２  大穴
７３  連結穴
【図１】
2009219261.tif 000003
【図２】
2009219261.tif 000004
【図３】
2009219261.tif 000005
【図４】
2009219261.tif 000006
【図５】
2009219261.tif 000007
【図６】
2009219261.tif 000008
【図７】
2009219261.tif 000009
【図８】
2009219261.tif 000010
【図９】
2009219261.tif 000011
【図１０】
2009219261.tif 000012
【図１１】
2009219261.tif 000013
【図１２】
2009219261.tif 000014
【図１３】
2009219261.tif 000015
【図１４】
2009219261.tif 000016
【図１５】
2009219261.tif 000017
【図１６】
2009219261.tif 000018
【図１７】
2009219261.tif 000019